【手続補正書】
【提出日】平成18年1月13日(2006.1.13)
【手続補正１】
【補正対象書類名】明細書
【補正対象項目名】全文
【補正方法】変更
【補正の内容】
【書類名】  明細書
【発明の名称】  電気掃除機用吸込具並びに電気掃除機
【特許請求の範囲】
【請求項１】  下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダー内に、回転ブラシを回転駆動する電動機と、この電動機を駆動する電池とを有し、前記ブラシホルダーの一端に導電線を通す中空軸を取り付け、前記ブラシホルダーの他端に空気取入口を設け、前記ブラシホルダーの外周面に冷却風を排出する開口部を設けた電気掃除機用吸込具。
【請求項２】  ブラシホルダーの他端に中空軸を設け、この中空軸を空気取入口とした請求項１記載の電気掃除機用吸込具。
【請求項３】  中空軸は、ブラシホルダーの他端に固定し、軸受部で軸支した請求項２記載の電気掃除機用吸込具。
【請求項４】  ブラシホルダーの両端から空気を取り入れ、外周面に設けた開口部より排出するようにした請求項１〜３のいずれか１項に記載の電気掃除機用吸込具。
【請求項５】  ブラシホルダーの外周面に設けた開口部を電動機より導電線を通す中空軸側に設けた請求項１〜４のいずれか１項に記載の電気掃除機用吸込具。
【請求項６】  ブラシホルダーの外周面に設けた開口部を電池と対向した位置とした請求項１〜５のいずれか１項に記載の電気掃除機用吸込具。
【請求項７】  空気取入口の上流側に防塵用のフィルターを配設した請求項１〜６のいずれか１項に記載の電気掃除機用吸込具。
【請求項８】  内部に塵挨を集塵する集塵室と電動送風機を備えた電気掃除機本体に、請求項１〜７のいずれか１項に記載の電気掃除機用吸込具と連通するように接続される接続口を備えた電気掃除機。
【発明の詳細な説明】
【０００１】
【発明の属する技術分野】
本発明は、電動機によって回転される回転ブラシを具備した電気掃除機用吸込具並びにこの電気掃除機用吸込具を接続する電気掃除機に関するものである。
【０００２】
【従来の技術】
従来、この種の電気掃除機用吸込具は、図５に示すように構成していた。以下、その構成について説明する。
【０００３】
図に示すように、吸込具本体１は、絨毯などの被掃除面に付着した塵埃を遊離させる回転ブラシ２を内蔵し、底面に吸込口を設け、後部に掃除機本体（図示せず）と連通される接続パイプ３を回転自在に具備している。回転ブラシ２の外周面にブラシ毛４を植毛し、内部に回転ブラシ２の駆動源である電動機５と、この電動機５の軸に装着し、回転を減速して回転ブラシ２に伝達する遊星歯車６と、この電動機５と遊星歯車６の間に配設した支持部材７とを内蔵している。
【０００４】
この支持部材７は複数のねじ８により電動機５に固定され、電動機５と当接する端面には、電動機５に設けた冷却孔からの換気をよくして放熱性を向上する溝９を形成し、他方の端面は遊星歯車６の内輪１０に嵌合するとともに、遊星歯車６の表面をカバーしている。また、回転ブラシ２の内周面には、キー溝（図示せず）を設け、このキー溝に遊星歯車６の外輪に突設した凸部（図示せず）を嵌合するとともに、凹部を軸方向に設けて冷却気流の流路を形成している。回転ブラシ２の両端の開口部には軸受１１を具備した蓋１２を装着している。
【０００５】
固定軸１３は中空に形成し、一端を回転ブラシ２の側方に突出させ、軸受１１を介して回転ブラシ２を回転自在に支持するとともに、電動機５に接続するリード線を中空部に通し、他端は円筒状に形成して回転ブラシ２の内部に配設し、電動機５の外周を支持している。固定カバー１４は回転ブラシ２の両端に装着し、回転ブラシ２や軸受１１の内部に塵埃が侵入しないようにしている。
【０００６】
回転ブラシ２はこの固定カバー１４と固定軸１３を介して、吸込具本体１に支持され、接続パイプ３の吸気口１５と対向する回転ブラシ２の略中央部には、回転ブラシ２の内部と外部を連通する複数の通気孔１６を形成している。洩らし穴１７は固定軸１３の中空部を介して、回転ブラシ２の内部に電動機を冷却する外気を連通させるもので、吸込具本体１の側面に形成している。
【０００７】
上記構成において動作を説明すると、吸込具本体１と掃除機本体に通電すると電動機５が回転し、遊星歯車６によって減速されながら回転トルクが増大されて回転ブラシ２に伝達され、ブラシ毛４により絨毯などに付着した塵埃を掻き出すとともに、掻き出された塵埃は掃除機本体に吸引される。このとき、電動機５によって回転されるのは、遊星歯車６と回転ブラシ２と蓋１２と軸受１１の外輪のみで、電動機５と固定軸１３と固定カバー１４とリード線は、吸込具本体１に固定保持されている。
【０００８】
また、掃除機本体を運転すると、吸込具本体１と床面で囲まれた空間に負圧がかかり、吸込具本体１の外周より外気が流入して接続パイプ３の吸気口１５に流れ込み、この気流により床面上の塵埃も一緒に吸気口１５へ吸い込まれていく。
【０００９】
このとき、吸気口１５と対向して設けた通気孔１６を通じて回転ブラシ２内部の通気孔１６近傍にも負圧が働くため、中空の固定軸１３と洩らし穴１７を介して吸込具本体１の外部と連通された回転ブラシ２内の側方部との間に圧力差が生じ、外気が洩らし穴１７より固定軸１３の中空部を通って回転ブラシ２の内部に流入し、回転ブラシ２の電動機５の周囲に設けた凹部を通過して通気孔１６に向かって流れ、回転ブラシ２の内部よりさらに気圧が低い吸気口１５に向かって通気孔１６より流出する気流が生じる。
【００１０】
【発明が解決しようとする課題】
このような従来の構成では、掃除機本体を運転すると、吸込具本体１と床面で囲まれた空間に負圧がかかり、外気が洩らし穴１７より固定軸１３の中空部を通って回転ブラシ２の内部に流入し、電動機５の周囲を通過して通気孔１６に向かって流れ、電動機５を冷却することができて、温度上昇を低減することができる。
【００１１】
しかるに、電動機５には、掃除機本体より供給される電力によって駆動しているため、掃除機本体よりホースおよび延長管を通してリード線を配線する必要があり、延長管の構造が複雑になるという問題を有していた。
【００１２】
本発明は上記従来の課題を解決するもので、掃除機本体から吸込具本体への電力供給の構造を簡素化し、さらに電動機の冷却効率を高め、温度上昇を低減することを目的としている。
【００１３】
【課題を解決するための手段】
本発明は上記目的を達成するために、吸込具本体の下面に開口させた吸込口に臨むように、吸込具本体内に回転ブラシを回転自在に設け、この回転ブラシは、外周面に塵埃掻き上げ部を設けた略筒状のブラシホルダーの内部に、回転ブラシを回転駆動する電動機と、この電動機を駆動する電池とを有し、ブラシホルダーの一端に導電線を通す中空軸を取り付け、ブラシホルダーの他端に空気取入口を設け、ブラシホルダーの外周面に冷却風を排出する開口部を設けた電気掃除機用吸込具である。
【００１４】
これにより、掃除機本体から吸込具本体へ電力を供給するための導電線をなくして延長管などの構造を簡素化することができ、さらにブラシホルダーに導電線を通す中空軸とは別に設けた空気取入口から冷却風を取り込むことにより、電動機の冷却効率を高めることができ、温度上昇を低減することができる。
【００１５】
また、内部に塵埃を集塵する集塵室と電動送風機を備えた電気掃除機本体に、上記電気掃除機用吸込具と連通するように接続される接続口を備えた電気掃除機である。
【００１６】
これにより、掃除機本体から吸込具本体へ電力を供給するための導電線をなくして延長管などの構造を簡素化することができ、さらに電気掃除機用吸込具の電動機の冷却効率を高めることができ、温度上昇を低減することができる。
【００１７】
【発明の実施の形態】
本発明の請求項１に記載の発明は、下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダー内に、回転ブラシを回転駆動する電動機と、この電動機を駆動する電池とを有し、前記ブラシホルダーの一端に導電線を通す中空軸を取り付け、前記ブラシホルダーの他端に空気取入口を設け、前記ブラシホルダーの外周面に冷却風を排出する開口部を設けた電気掃除機用吸込具であり、回転ブラシに内蔵した電動機を電池で駆動することにより、掃除機本体から吸込具本体へ電力を供給するための導電線をなくして、延長管に導電線を配線する必要がなく、延長管の構造を簡単にして軽量化することができ、さらにブラシホルダーに導電線を通す中空軸とは別に設けた空気取入口から冷却風を取り込むことにより、電動機の冷却効率を高めることができ、温度上昇を低減することができるとともに、電池も同時に冷却することができ、放電時の温度上昇を低減することができる。
【００１８】
請求項２に記載の発明は、上記請求項１に記載の発明において、ブラシホルダーの他端に中空軸を設け、この中空軸を空気取入口とした電気掃除機用吸込具であり、空気取入口が中空軸であるため、ブラシホルダー内に空気を取り入れるための仕切壁などが不要で構造を簡単にでき、回転ブラシに内蔵した電動機を駆動して回転ブラシを回転させたとき、風切り音がでなくなって騒音をなくすることができるとともに、中空軸よりブラシホルダー内に多量の冷却用の空気を流入させることができ、電動機と電池の冷却効率を高めることができて、温度上昇を低減することができる。
【００１９】
請求項３に記載の発明は、上記請求項２に記載の発明において、中空軸は、ブラシホルダーの他端に固定し、軸受部で軸支した電気掃除機用吸込具であり、ブラシホルダーを中空軸を介して軸受部により吸込具本体内に回転自在に軸支することができ、ブラシホルダーにより構成する回転ブラシを安定して回転させることができる。
【００２０】
請求項４に記載の発明は、上記請求項１〜３に記載の発明において、ブラシホルダーの両端から空気を取り入れ、外周面に設けた開口部より排出するようにした電気掃除機用吸込具であり、回転ブラシに内蔵した電動機を電池で駆動して回転ブラシを回転させたとき、ブラシホルダーの両端からブラシホルダー内に多量の冷却用の空気を流入することができ、電動機と電池の冷却効率を高めることができて、温度上昇を低減することができる。
【００２１】
請求項５に記載の発明は、上記請求項１〜４に記載の発明において、ブラシホルダーの外周面に設けた開口部を電動機より導電線を通す中空軸側に設けた電気掃除機用吸込具であり、回転ブラシに内蔵した電動機を電池で駆動して回転ブラシを回転させたとき、ブラシホルダーの導電線を通す中空軸と反対側より流入した冷却用の空気が外周面に設けた開口部より排出する際、電動機を必ず通過するため、電動機の冷却効率を高めることができて、温度上昇を低減することができる。
【００２２】
請求項６に記載の発明は、上記請求項１〜５に記載の発明において、ブラシホルダーの外周面に設けた開口部を電池と対向した位置とした電気掃除機用吸込具であり、回転ブラシに内蔵した電動機を電池で駆動して回転ブラシを回転させたとき、開口部より排出される冷却風によって電池を冷却することができ、電池の放電時の温度上昇を低減することができるとともに、開口部がブラシホルダーの外部と連通しているため、電池の充電時の温度上昇を低減することができる。
【００２３】
請求項７に記載の発明は、上記請求項１〜６に記載の発明において、空気取入口の上流側に防塵用のフィルターを配設した電気掃除機用吸込具であり、回転ブラシに内蔵した電動機を電池で駆動して回転ブラシを回転させ、ブラシホルダー内に冷却用の空気を流入するとき、ブラシホルダー内に塵挨が侵入するのを防止することができる。
【００２４】
請求項８に記載の発明は、内部に塵挨を集塵する集塵室と電動送風機を備えた電気掃除機本体に、請求項１〜７のいずれか１項に記載の電気掃除機用吸込具と連通するように接続される接続口を備えた電気掃除機であり、掃除機本体から吸込具本体へ電力を供給するための導電線をなくして延長管などの構造を簡素化することができ、さらに電気掃除機用吸込具の電動機の冷却効率を高めることができ、温度上昇を低減することができる。
【００２５】
【実施例】
以下、本発明の実施例について、図面を参照しながら説明する。
【００２６】
（実施例１）
図３に示すように、吸込具本体１８は絨毯などの被掃除面に付着した塵埃を遊離させる回転ブラシ１９（図１参照）を内蔵し、後部に延長管２０と接続される連結体２１を回転自在に設けている。掃除機本体２２は、内部に塵埃を集塵する集塵室２３と電動送風機２４を備えており、この掃除機本体２２に設けた接続口２５に、延長管２０に接続したホース２６を接続し、吸込具本体１８の連結体２１を接続口２５に連通するように構成している。
【００２７】
回転ブラシ１９は、図１に示すように、吸込具本体１８の下面に開口した吸込口２７に臨むように、吸込具本体１８内に回転自在に設けている。この回転ブラシ１９は、ＡＢＳ、ポリスチロール、ポリプロピレンなどの熱可塑性樹脂で形成した略筒状のブラシホルダー２８の外周面に塵埃掻き上げ部を構成する複数のブラシ２９を設けている。
【００２８】
なお、塵埃掻き上げ部は、ブラシ２９の他、薄板状のブレード、拭き効果のある帯状体（例えば、布製の帯状体）などであってもよい。
【００２９】
このブラシホルダー２８の内部に、図２に示すように、回転ブラシ１９を回転駆動する電動機３０、この電動機３０を駆動する電池３１、電動機３０の回転数を減速する減速装置３２、減速装置３２の出力をブラシホルダー２８に伝達するギヤ３３などを内蔵している。ここで、回転ブラシ１９は、電動機３０、減速装置３２などを内蔵するとともに、電動機３０のトルクと、外周面のブラシ２９の先端での塵埃の掻き上げ性能から、ブラシホルダー２８の直径を大きくすることが好ましい。
【００３０】
電動機３０は、整流子電動機で構成し、整流子３０ａ側に電池３１の端子３１ａに圧接可能にばね材で形成した端子３０ｂと導電線３６を接続する端子３０ｃを設けている。また、電動機３０内を冷却する冷却風を取り入れる開口部３０ｄと排出する開口部３０ｅとを設けている。電動機３０は電池３１より電圧を印加して駆動するようにしている。
【００３１】
ここで、電動機３０の回転数は、減速装置３２を介してブラシホルダー２８に回転が伝えられるため、３０００ｒｐｍ〜１５０００ｒｐｍに設定している。絨毯を掃除するときは、３０００ｒｐｍ〜１２０００ｒｐｍが好ましい。過電流防止装置３４は正特性サーミスタなどで構成し、電動機３０に過電流が流れるのを防止している。
【００３２】
電池３１は、ニッケル−カドミウム電池などの充電可能な電池で、電池ケース３５に収容し、端子３１ａ、３１ｂに接続した導電線３６を介して制御部３７に接続し、制御部３７に設けた充電端子３７ａに充電器（図示せず）を接続することにより充電できるように構成している。
【００３３】
制御部３７は、電動機３０の端子３０ｃと電池３１の端子３１ｂとの間に接続し、掃除機本体２２またはホース２６の先端に設けた手元操作部２６ａからの光、電波などによるオン、オフ信号により、電動機３０をオン、オフ制御するよう構成している。
【００３４】
減速装置３２は遊星歯車により構成して電動機３０の出力軸３８を連結し、電動機３０の回転数を減速する。ここで、減速装置３２の減速比は、１／３〜１／９（好ましくは、１／５〜１／７）としている。遮音筒３９は、減速装置３２の外周を覆って遮音するもので、アルミニウムダイカスト、またはプラスチック成型により形成している。この遮音筒３９を介して電動機３０に保持固定し、電動機３０と減速装置３２とを一体に構成し、出力軸４０にギヤ３３を嵌合している。軸受部４１は電動機３０と一体に構成した減速装置３２をブラシホルダー２８に支持するもので、内輪を減速装置３２の径小部４２に固定し、外輪をブラシホルダー２８の内面部に突出して形成した軸受支持部４３により支持している。
【００３５】
電池３１を収容した電池ケース３５には、内径を中空として導電線３６を通し、電動機３０および減速装置３２と一体に構成した電池３１を軸支する中空軸４４を固定している。この中空軸４４は、アルミニウム合金、炭素鋼（Ｓ４５Ｃ）、工業用プラスチックなどの変形しにくい材料で形成し、内径を１３ｍｍとして冷却風をスムーズに導入できるように構成している。この中空軸４４に軸受部４５の内輪を固定し、外輪をブラシホルダー２８の端部に固定したキャップ４６により支持している。
【００３６】
ギヤ３３は、ポリアセタール、ポリアミドなどの工業用プラスチックで構成し、ブラシホルダー２８の内面部に形成したギヤ部４７と噛み合い、ギヤ部４７と噛み合う部分に、ゴム、エラストマーなどで形成した緩衝材４８を介在させ、ゴム、エラストマーなどの弾力性により、歯形相互間で噛み合い音を緩衝させている。ギヤ部４７は、ブラシホルダー２８の軸方向における略中央部の内面部に突出させて形成し、ギヤ部４７の外側に冷却風の通路孔４９を設けている。
【００３７】
ブラシホルダー２８の中空軸４４を取り付けた反対側の端部に空気取入口５０を設け、この空気取入口５０はギヤ部４７の外側に設けた通路孔４９に連通し、減速装置３２の外側を通る冷却風通路５１に連通するとともに、ブラシホルダー２８の外周面に設けた開口部５２に連通している。また、中空軸４４は電池ケース３５とこの電池ケース３５に設けた通気孔５３を通して冷却風通路５１に連通するとともに、ブラシホルダー２８の外周面に設けた開口部５２に連通している。  開口部５２はブラシホルダー２８の外周面であって、電動機３０より中空軸４４側で、電池３１と対向した位置に設けている。ここで、開口部５２は連結体２１にほぼ対向する位置にある。
【００３８】
吸込具本体１８の空気取入口５０に対向する側面に吸気孔５４を設け、この吸気孔５４と空気取入口５０との間を連通するように仕切壁２８ａを設けるとともに、防塵用のフィルター５５を配設し、空気取入口５０からブラシホルダー２８の内部に塵埃が入るのを防止している。また、吸込具本体１８の中空軸４４に対向する側面に吸気孔５６を設け、この吸気孔５６と中空軸４４の端面との間にフィルター５７を介在させている。
【００３９】
吸込具本体１８の両側端の内側には、回転ブラシ１９を保持する保持部５８を形成し、この保持部５８に緩衝部材５９を介在させて回転ブラシ１９の端部を保持している。この緩衝部材５９は、ゴム、エラストマーなどの弾力性が優れた材料で形成し、回転ブラシ１９の回転による振動、びびりを吸収し、吸込具本体１８へ伝えにくくしている。
【００４０】
上記構成において動作を説明すると、掃除機本体２２に通電し、掃除機本体２２からオン信号を出力すると、回転ブラシ１９に内蔵した電動機３０が回転し、減速装置３２によって減速され、回転トルクが増大されて回転ブラシ１９が回転駆動する。回転ブラシ１９の回転により、ブラシホルダー２８の外周面に設けたブラシ２９により絨毯などに付着した塵埃を掻き上げるとともに、掻き上げた塵埃は延長管２０、ホース２６を介して掃除機本体２２に吸引される。
【００４１】
ここで、回転ブラシ１９は電動機３０を内蔵することによって、従来に比べて、その直径が大きくなるが、直径が大きくなると、回転数を従来と同じとしたとき、塵埃掻き上げ部の周速が速まり、被掃除面からの塵埃の掻き上げ性能を向上することができる。
【００４２】
このとき、吸込具本体１８と床面で囲まれた空間に負圧がかかり、吸込具本体１８の外周より外気が流入し、この気流により床面上の塵埃も連結体２１を通して一緒に吸い込まれていく。そして、連結体２１に対向して設けた開口部５２を通して、回転ブラシ１９内部の開口部５２の近傍にも負圧が働くため、外気が吸気孔５４より空気取入口５０を通って回転ブラシ１９の内部に流入するとともに、吸気孔５６より中空軸４４の中空部を通って回転ブラシ１９の内部に流入する。
【００４３】
この流入した外気により、電動機３０、電池３１および減速装置３２の外側を通る冷却風通路５１および電動機３０の内部を通り、開口部５２から流出する冷却風が生じ、電動機３０、電池３１などを冷却し、さらに、吸気孔５６より中空軸４４の中空部を通り、電池ケース３５に設けた通気孔５３を通して、開口部５２から流出する冷却風により電池３１を冷却することができる。
【００４４】
ここで、電動機３０は、電池３１より電圧を印加して駆動しているので、掃除機本体２２から吸込具本体１８へ電力を供給するための導電線をなくすることができ、延長管２０に導電線を配線する必要がなく、延長管２０の構造を簡単にして軽量化することができ、さらにブラシホルダー２８に導電線３６を通す中空軸４４とは別に設けた空気取入口５０から冷却用の空気を取り入れ、ブラシホルダー２８の外周面に設けた開口部５２より冷却風を排出するので、電動機３０の冷却効率を高めることができて、温度上昇を低減することができる。さらに、電池３１も同時に冷却することができ、放電時の温度上昇を低減することができる。
【００４５】
さらに、ブラシホルダー２８の両端から冷却用の空気を取り入れているので、ブラシホルダー２８内に多量の冷却用の空気を流入することができ、電動機３０と電池３１の冷却効率を高めることができて、温度上昇を低減することができる。
【００４６】
また、ブラシホルダー２８の外周面に設けた開口部５２を電動機３０より中空軸４４側に設けているので、回転ブラシ１９を回転させたとき、ブラシホルダー２８の空気取入口５０より流入した冷却用の空気が開口部５２より排出する際、電動機３０を必ず通過するため、電動機３０の冷却効率を高めることができて、温度上昇を低減することができる。
【００４７】
また、ブラシホルダー２８の外周面に設けた開口部５２を電池３１と対向した位置としているので、回転ブラシ１９を回転させたとき、開口部５２より排出される冷却風によって電池３１を冷却することができ、電池３１の放電時の温度上昇を低減することができるとともに、開口部５２がブラシホルダー２８の外部と連通しているため、電池３１の充電時の温度上昇を低減することができる。
【００４８】
また、空気取入口５０の上流側に防塵用のフィルター５５を配設し、中空軸４４の上流側に防塵用のフィルター５７を配設しているので、回転ブラシ１９を回転させ、ブラシホルダー２８内に冷却用の空気を流入するとき、ブラシホルダー２８内に塵挨が侵入するのを防止することができる。
【００４９】
なお、本実施例では、ブラシホルダー２８の一端に設けた空気取入口５０より冷却用の空気を取り入れるとともに、ブラシホルダー２８の他端に設けた中空軸４４より冷却用の空気を取り入れて電動機３０、電池３１などを冷却しているが、電池ケース３５に設けた冷却風通路５１に連通する通気孔５３を閉塞することにより、空気取入口５０より取り入れた空気だけでも電動機３０、電池３１などを冷却することができ、電池ケース３５、中空軸４４の構成を簡単にできる。
【００５０】
（実施例２）
図４に示すように、中空軸６０はブラシホルダー６１に固定し、軸受部を構成するメタル軸受（軸受部）６２により吸込具本体６３に回転自在に軸支し、この中空軸６０を回転ブラシ６４内に冷却用の空気を取り入れる空気取入口としている。吸込具本体６３の中空軸６０に対向する側面に吸気孔６５を設け、この吸気孔６５と中空軸６０との間に防塵用のフィルター６６を配設している。他の構成は上記実施例１と同じである。
【００５１】
上記構成において動作を説明する。上記実施例１と同様にして、回転ブラシ６４に内蔵した電動機３０を回転すると、ブラシホルダー６１の外周面に設けたブラシ２９により絨毯などに付着した塵埃を掻き上げとともに、掻き上げた塵埃は延長管２０、ホース２６を介して掃除機本体２２に吸引される。
【００５２】
このとき、外気が吸気孔６５より空気取入口を構成する中空軸６０を通って回転ブラシ６４の内部に流入するとともに、吸気孔５６より中空軸４４の中空部を通って回転ブラシ６４の内部に流入する。
【００５３】
この流入した外気により、電動機３０、電池３１および減速装置３２の外側を通る冷却風通路５１および電動機３０の内部を通り、開口部５２から流出する冷却風が生じ、電動機３０、電池３１などを冷却し、さらに、吸気孔５６より中空軸４４の中空部を通り、電池ケース３５に設けた通気孔５３を通して、開口部５２から流出する冷却風により電池３１を冷却することができる。
【００５４】
ここで、外気を空気取入口を構成する中空軸６０を通って回転ブラシ６４の内部に流入させているので、上記実施例１に示したブラシホルダー内に空気を取り入れるための仕切壁２８ａなどが不要で構造を簡単にでき、回転ブラシ６４に内蔵した電動機３０を駆動して回転ブラシ６４を回転させたとき、風切り音がでなくなって騒音をなくすることができるとともに、ブラシホルダー６１の他端に設けた中空軸６０よりブラシホルダー６１内に多量の冷却用の空気を流入することができ、電動機３０と電池３１の冷却効率を高めることができて、温度上昇を低減することができる。
【００５５】
また、中空軸６０は、ブラシホルダー６１に固定し、メタル軸受６２で軸支しているので、ブラシホルダー６１を中空軸６０を介してメタル軸受６２により、吸込具本体６３内に回転自在に軸支することができ、ブラシホルダー６１により構成する回転ブラシ６４を安定して回転させることができる。
【００５６】
なお、本実施例では、中空軸６０は、ブラシホルダー６１に固定し、メタル軸受６２で軸支しているが、中空軸６０を吸込具本体６３に固定し、ブラシホルダー６１との間にメタル軸受６２を設けて軸支してもよい。
【００５７】
【発明の効果】
以上のように本発明の請求項１に記載の発明によれば、下面に吸込口を開口させた吸込具本体と、前記吸込口に臨むように前記吸込具本体内に回転自在に設けた回転ブラシとを備え、前記回転ブラシは、外周面に塵埃掻き上げ部を設けた略筒状のブラシホルダー内に、回転ブラシを回転駆動する電動機と、この電動機を駆動する電池とを有し、前記ブラシホルダーの一端に導電線を通す中空軸を取り付け、前記ブラシホルダーの他端に空気取入口を設け、前記ブラシホルダーの外周面に冷却風を排出する開口部を設けたから、掃除機本体から吸込具本体へ電力を供給するための導電線をなくして、延長管に導電線を配線する必要がなく、延長管の構造を簡単にして軽量化することができ、さらに空気取入口から冷却風を取り込むことにより、電動機の冷却効率を高めることができ、温度上昇を低減することができるとともに、電池も同時に冷却することができ、放電時の温度上昇を低減することができる。
【００５８】
また、請求項２に記載の発明によれば、ブラシホルダーの他端に中空軸を設け、この中空軸を空気取入口としたから、ブラシホルダー内に空気を取り入れるための仕切壁などが不要で構造を簡単にでき、回転ブラシを回転させたとき、風切り音がでなくなって騒音をなくすることができるとともに、中空軸よりブラシホルダー内に多量の冷却用の空気を流入させることができ、電動機と電池の冷却効率を高めることができて、温度上昇を低減することができる。
【００５９】
また、請求項３に記載の発明によれば、中空軸は、ブラシホルダーの他端に固定し、軸受部で軸支したから、ブラシホルダーを中空軸を介して軸受部により吸込具本体内に回転自在に軸支することができ、回転ブラシを安定して回転させることができる。
【００６０】
また、請求項４に記載の発明によれば、ブラシホルダーの両端から空気を取り入れ、外周面に設けた開口部より排出するようにしたから、電動機により回転ブラシを回転させたとき、ブラシホルダーの両端からブラシホルダー内に多量の冷却用の空気を流入させることができ、電動機と電池の冷却効率を高めることができて、温度上昇を低減することができる。
【００６１】
また、請求項５に記載の発明によれば、ブラシホルダーの外周面に設けた開口部を電動機より導電線を通す中空軸側に設けたから、電動機により回転ブラシを回転させたとき、ブラシホルダー内に流入した冷却用の空気が開口部より排出する際、電動機を必ず通過するため、電動機の冷却効率を高めることができて、温度上昇を低減することができる。
【００６２】
また、請求項６に記載の発明によれば、ブラシホルダーの外周面に設けた開口部を電池と対向した位置としたから、電動機により回転ブラシを回転させたとき、開口部より排出される冷却風によって電池を冷却することができ、電池の放電時の温度上昇を低減することができるとともに、開口部がブラシホルダーの外部と連通しているため、電池の充電時の温度上昇を低減することができる。
【００６３】
また、請求項７に記載の発明によれば、空気取入口の上流側に防塵用のフィルターを配設したから、電動機により回転ブラシを回転させ、ブラシホルダー内に冷却用の空気を流入するとき、ブラシホルダー内に塵挨が侵入するのを防止することができる。
【００６４】
また、請求項８に記載の発明によれば、内部に塵挨を集塵する集塵室と電動送風機を備えた電気掃除機本体に、請求項１〜７のいずれか１項に記載の電気掃除機用吸込具と連通するように接続される接続口を備えたから、掃除機本体から吸込具本体へ電力を供給するための導電線をなくして延長管などの構造を簡素化することができ、さらに電気掃除機用吸込具の電動機の冷却効率を高めることができ、温度上昇を低減することができる。
【図面の簡単な説明】
【図１】
本発明の第１の実施例の電気掃除機用吸込具の断面図
【図２】
同電気掃除機用吸込具の一部切欠した要部分解斜視図
【図３】
同電気掃除機用吸込具を備えた電気掃除機の斜視図
【図４】
本発明の第２の実施例の電気掃除機用吸込具の断面図
【図５】
従来の電気掃除機用吸込具の断面図
【符号の説明】
１８  吸込具本体
１９  回転ブラシ
２７  吸込口
２８  ブラシホルダー
２９  ブラシ（塵埃掻き上げ部）
３０  電動機
３１  電池
３６  導電線
４４  中空軸
５０  空気取入口
５２  開口部
【手続補正２】
【補正対象書類名】図面
【補正対象項目名】図２
【補正方法】変更
【補正の内容】
【図２】
2000316762.tif 000001